(57)【要約】【課題】簡単な構成で、紙詰まり位置を確認することができて、紙詰まり処理の作業性を向上させる画像形成装置を提供する。【解決手段】画像形成装置１は、装置本体１Ａの内部に通じ揺動自在な開閉カバー６の裏側に、用紙Ｐを搬送する搬送路５が設けられるとともに、この搬送路５に対して開閉カバー６の反対側に感光体ドラム３が設けられ、開閉カバー６の開操作に伴って、感光体ドラム３の搬送路５側に移動して感光体ドラム３を覆う保護状態となる一方、開閉カバー６の閉操作に伴って、感光体ドラム３の搬送路５側から退避する退避状態となるドラムカバー７が設けられる。さらに、搬送路５中の紙詰まりを検知する検知部材２２が設けられ、ドラムカバー７の保護状態で開閉カバー６に対向する側の面に紙詰まり位置を表示する表示手段２４、２６が設けられて、検知部材２２が紙詰まりを検知すると、表紙手段２４、２６が紙詰まり位置を表示する。【選択図】図７
2009109735.tif 000002
【特許請求の範囲】
【請求項１】
装置本体の内部に通じる揺動自在な開閉カバーの裏側に、用紙を搬送する搬送路が設けられるとともに、前記搬送路に対して前記開閉カバーの反対側に感光体ドラムが設けられ、前記開閉カバーの開操作に伴って、前記感光体ドラムの前記搬送路側に移動して前記感光体ドラムを覆う保護状態となる一方、前記開閉カバーの閉操作に伴って、前記感光体ドラムの前記搬送路側から退避する退避状態となるドラムカバーが設けられる画像形成装置において、
前記搬送路中の紙詰まりを検知する検知部材が設けられ、前記ドラムカバーの保護状態で前記開閉カバーの対向する側の面に紙詰まり位置を表示する表示手段が設けられて、前記検知部材が紙詰まりを検知すると、前記表紙手段が紙詰まり位置を表示することを特徴とする画像形成装置。
【請求項２】
前記検知部材は前記搬送路中の複数の搬送路位置に配設され、前記表示手段は、複数の搬送路位置を表示可能に設けられ、紙詰まりを検知した検知部材に対応する搬送路位置を表示することを特徴とする請求項１に記載の画像形成装置。
【請求項３】
前記表示手段は、複数の搬送路位置を表示するシート部材と、前記検知部材が検知する搬送路位置の紙詰まりの有無に応じて表示を切り換える複数の表示切り換え部材とを備えることを特徴とする請求項１または請求項２に記載の画像形成装置。
【請求項４】
前記ドラムカバーが可撓性を有する薄板部材で形成されるとともに前記薄板部材がフレームで保持されて、前記シート部材は前記薄板部材に貼り付けられ、前記表示切り換え部材は前記フレームに取り付けられることを特徴とする請求項３に記載の画像形成装置。
【請求項５】
前記表示切り換え部材は、発光ダイオードの点灯の有無により表示を切り換えることを特徴とする請求項４に記載の画像形成装置。
【請求項６】
前記表示手段は、紙詰まり処理の手順を表示することを特徴とする請求項１または請求項２に記載の画像形成装置。
【発明の詳細な説明】
【技術分野】
【０００１】
本発明は、電子写真方式を利用した複写機、プリンタ、ファクシミリ、それらの複合機等の画像形成装置に関し、特に、紙詰まりの表示を行う画像形成装置に関するものである。
【背景技術】
【０００２】
従来から、複写機等の画像形成装置で紙詰まりが検知されたときは、複写機の操作部上の液晶画面に、複写機内に残った用紙の位置と処理手順を絵図で表示して、紙詰まり処理の改善を図ることが行われている。
【０００３】
例えば、特許文献１では、装置前面の操作パネルに、装置全体の外形図に用紙カセット等の構成要素の配置を示した模式的な図形が集約的に設けられている。そして、この模式的な図形を利用して、例えば複数段の用紙カセットの中で、どの用紙カセットで用紙の紙詰まりが起きたのかを、該当する用紙カセットの配置位置に相当する図形上の位置に配された発光ダイオードの点灯／点滅等で表示している。こうすることにより、ユーザは装置の各部の状態を直観的に把握することができる。
【０００４】
しかしながら、上述した従来技術では、紙詰まり処理を行う時に、わざわざ装置前面の操作パネルに表示された紙詰まり位置を確認しなくてはならず、紙詰まり処理の作業が煩雑になるという問題があった。
【特許文献１】特開２００１−２３５９８０号公報（段落［０００５］、図２）
【発明の開示】
【発明が解決しようとする課題】
【０００５】
本発明は、上記のような課題を解決するためになされたものであり、簡単な構成で、紙詰まり位置を確認することができて、紙詰まり処理の作業性を向上させる画像形成装置を提供することを目的とする。
【課題を解決するための手段】
【０００６】
上記目的を達成するために本発明は、装置本体の内部に通じる揺動自在な開閉カバーの裏側に、用紙を搬送する搬送路が設けられるとともに、前記搬送路に対して前記開閉カバーの反対側に感光体ドラムが設けられ、前記開閉カバーの開操作に伴って、前記感光体ドラムの前記搬送路側に移動して前記感光体ドラムを覆う保護状態となる一方、前記開閉カバーの閉操作に伴って、前記感光体ドラムの前記搬送路側から退避する退避状態となるドラムカバーが設けられる画像形成装置において、前記搬送路中の紙詰まりを検知する検知部材が設けられ、前記ドラムカバーの保護状態で前記開閉カバーの対向する側の面に紙詰まり位置を表示する表示手段が設けられて、前記検知部材が紙詰まりを検知すると、前記表示手段が紙詰まり位置を表示することを特徴としている。
【０００７】
この構成によれば、開閉カバーの開操作に伴って、ドラムカバーが感光体ドラムの搬送路側に移動することによって、ドラムカバーが感光体ドラムの搬送路側を覆う。また、開閉カバーを開けて紙詰まり処理の作業をする際に、開閉カバーの開操作に連動して、ドラムカバーが搬送路側に移動すると、作業者はドラムカバー上に設けた表示手段から紙詰まり位置を視認する。
【０００８】
また、請求項２の発明において、前記検知部材は前記搬送路中の複数の搬送路位置に配設され、前記表示手段は、複数の搬送路位置を表示可能に設けられ、紙詰まりを検知した検知部材に対応する搬送路位置を表示することを特徴としている。この構成によれば、紙詰まりが発生する可能性がある搬送路の中から、紙詰まりが発生している搬送路位置が視認される。
【０００９】
また、請求項３の発明において、前記表示手段は、複数の搬送路位置を表示するシート部材と、前記検知部材が検知する搬送路位置の紙詰まりの有無に応じて表示を切り換える複数の表示切り換え部材とを備えることを特徴としている。この構成によれば、装置が大型化することがなく、簡単な装置構成になる。
【００１０】
また、請求項４の発明において、前記ドラムカバーが可撓性を有する薄板部材で形成されるとともに前記薄板部材がフレームで保持されて、前記シート部材は前記薄板部材に貼り付けられ、前記表示切り換え部材は前記フレームに取り付けられることを特徴としている。この構成によれば、ドラムカバーとそのフレーム部材にシート部材や表示切り換え部材の表示手段を取り付けるだけであり、特別の部材を設けることがなく、また紙詰まりしている用紙の搬送路位置が大きく表示される。
【００１１】
また、請求項５の発明において、前記表示切り換え部材は、発光ダイオードの点灯の有無により表示を切り換えることを特徴としている。この構成によれば、簡単な表示部材構成になり、また紙詰まり位置が発光ダイオードの点灯により知らさせる。
【００１２】
また、請求項６の発明において、前記表示手段は、紙詰まり処理の手順を表示することを特徴としている。この構成によれば、紙詰まり処理の手順に従って紙詰まり処理が行われる。
【発明の効果】
【００１３】
請求項１に記載の発明によれば、開閉カバーの開操作に伴って、ドラムカバーが感光体ドラムの搬送路側に移動することによって、ドラムカバーが感光体ドラムの搬送路側を覆い、紙詰まり処理等の作業者の手や装身具、工具等が感光体ドラムに接触し傷つけるのを保護することができる。また、検知部材が搬送路中の紙詰まりを検知すると、表示手段が紙詰まり位置を表示する。この表示手段がドラムカバーの開閉カバー側に設けられているために、開閉カバーを開けて紙詰まり処理の作業を行う際に、開閉カバーの開操作に連動して、ドラムカバーが搬送路側に移動するので、紙詰まり処理を行う姿勢で、作業者はドラムカバー上の表示手段から紙詰まり位置を視認することができ、紙詰まり処理の作業が煩雑になることがなく、紙詰まり処理の作業性を向上させることができる。また、表示手段がドラムカバーに取り付けられるだけであるので、装置が大型化することがなく、簡単な装置構成にすることができる。
【００１４】
また、請求項２に記載の発明によれば、紙詰まりが発生する可能性がある搬送路の中から、紙詰まりが発生している搬送路位置が表示手段により視認されるために、作業者が、紙詰まり処理を行う姿勢で、直ちに紙詰まり位置を確認できるので、紙詰まり処理の作業性を向上させることができる。
【００１５】
また、請求項３に記載の発明によれば、装置が大型化することがなく、簡単な装置構成にすることができる。
【００１６】
また、請求項４に記載の発明によれば、ドラムカバーとそのフレーム部材にシート部材や表示切り換え部材の表示手段を取り付けるだけであり、特別の部材を設けることがないので、装置が大型化することがなく、また紙詰まりしている用紙の搬送路位置を大きく解りやすく表示することができる。
【００１７】
また、請求項５に記載の発明によれば、簡単な表示部材構成になり、また紙詰まり位置が発光ダイオードの点灯により知らさせるので、紙詰まり位置の視認性を向上させることができる。
【００１８】
また、請求項６に記載の発明によれば、紙詰まり処理の手順に従って紙詰まり処理が行われるので、紙詰まり処理を正確に行うことができる。
【発明を実施するための最良の形態】
【００１９】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００２０】
図１は、本発明の実施形態である画像形成装置の要部を示す平面図である。この画像形成装置１は、例えば、複写機やファクシミリやプリンタ等として構成されている。
【００２１】
図１に示すように、画像形成装置１は、給紙カセット３１に収納した用紙Ｐをピックアップローラ３２によって１枚ずつ取り出し、搬送ローラ３３を経てレジストローラ対３４にまで搬送する。表面にアモルファスシリコン層が積層された感光体ドラム３が帯電器３５による放電により帯電され、帯電処理が施された感光体ドラム３の表面に露光装置から画像情報に基づく光が照射され、光が当たった部分の帯電状態の消滅によって静電潜像が形成される。この静電潜像に向けて現像装置３６からトナーが供給されると、感光体ドラム３の表面にトナー像が形成され、このトナー像がレジストローラ３４によって所定のタイミングで給紙される用紙Ｐに転写される。転写後の用紙Ｐが定着部４に搬送されるように構成されており、これら一連の用紙Ｐの搬送路５が、装置本体１Ａの縦方向に設定されている。
【００２２】
搬送路５には、第１検知部材２２ａ及び第２検知部材２２ｂが設けられ、第１及び第２検知部材２２ａ、２２ｂは搬送路５の用紙Ｐの通過または用紙Ｐの位置等用紙Ｐの有無を検知する。第１検知部材２２ａは、レジストローラ対３４の搬送路５上流側に配されて、レジストローラ対３４近傍の搬送路５における用紙Ｐの有無を検知する。第２検知部材２２ｂは、定着部４の定着ローラの搬送路５上流側に配されて、定着部４近傍の搬送路５における用紙Ｐの有無を検知する。第１及び第２検知部材２２ａ、２２ｂは、発光ダイオードとその光を受光する受光センサを備えて、用紙Ｐが当接すると感知レバーが回転して、受光センサの受光する光を遮ることにより、用紙Ｐの有無を検知する。また、第１及び第２検知部材２２ａ、２２ｂは、感知レバーに替えて、通過する用紙Ｐそのものにより、受光センサへの光を遮るものでもよい。
【００２３】
また、装置本体１Ａの側壁を構成する片側壁部分には、装置本体１Ａの内部に通じる開閉カバー６が搬送路５の近傍に配設される。開閉カバー６は、その下縁部を、装置本体１Ａに対して回転可能に軸支して連結されており、その支軸周りに揺動操作すると、装置本体１Ａと開閉カバー６との間で開口が形成される開状態（図１に一点鎖線で示す）と画像形成が可能である閉状態とに切り換えられる。開閉カバー６が閉操作されて閉状態にあるときには、後述するカバー移動機構８との連動により、ドラムカバー７が感光体ドラム３の上方側にあるが、この開閉カバー６が開操作されて開状態にあるときには、カバー移動機構８との連動により、ドラムカバー７が開閉カバー６と感光体ドラム３との間の搬送路５側に移動するように構成されている。
【００２４】
以下に、ドラムカバー７とカバー移動機構８とについて詳しく説明する。ドラムカバー７は、開閉カバー６の開操作に伴って、感光体ドラム３の搬送路５側に移動し、紙詰まり処理等の作業者の手や装身具、工具等が感光体ドラム３に接触し傷つけるのを保護するものである。また、ドラムカバー７は、高分子量ポリエチレン製で、可撓性を有する矩形状の薄板材で形成してあり、感光体ドラム３の幅方向（図１に示す紙面の奥行き方向）寸法が感光体ドラム３の幅方向長さ以上に設定されるとともに、横方向（図１に示す左右方向）寸法が感光体ドラム３の外径の約２倍程度に設定され、開閉カバー６の閉状態では、感光体ドラム３の上方側に配置される。
【００２５】
カバー移動機構８は、ドラムカバー７を移動させるものである。つまり、カバー移動機構８は、開閉カバー６の開操作に伴って、ドラムカバー７を搬送路５側に位置させる保護状態と、開閉カバー６の閉操作に伴って、ドラムカバー７を感光体ドラム３の上方側に位置させる退避状態とに移動させるように構成されている。
【００２６】
次に図２、図３に基づいて、カバー移動機構８の構成を詳細に説明する。図２は、開閉カバー６の閉状態におけるカバー移動機構８を示す平面図である。図３は、開閉カバー６の閉状態におけるカバー移動機構８を示す斜視図である。
【００２７】
図２、図３に示すように、フレーム９は、前フレーム９ａと後フレーム９ｂとを備え、前フレーム９ａがドラムカバー７の前方縁部７ａをほぼ全幅にわたって固定支持し、後フレーム９ｂが後方縁部７ｂをほぼ全幅にわたって固定支持する。また、これら両フレーム９ａ、９ｂには、各一対の端部９ｃ、９ｄが形成される。各一対の端部９ｃ、９ｄが各一対のスライドガイド溝１０ａ、１０ｂにそれぞれ嵌合されており、フレーム９がスライドガイド溝１０ａ、１０ｂに沿って移動自在に支持されることになる。
【００２８】
スライドガイド部材は、縦スライドガイド部材１０ｃと横スライド部材１０ｄを備える。縦スライドガイド部材１０ｃと横スライド部材１０ｄは、それぞれ上記のスライドガイド溝１０ａ、１０ｂを備え、装置本体１Ａに固定支持される。その溝には、縦方向のものと横方向のものとの二種類があり、縦スライドガイド溝１０ａは、感光体ドラム３と開閉カバー６との間で縦配置（図２に示す略上下方向）に形成され、横スライドガイド溝１０ｂは感光体ドラム３の上方で横配置（図２に示す左右方向）に形成される。縦スライドガイド溝１０ａには、ドラムカバー７の前方縁部７ａに取り付けられた前フレーム９ａの端部９ｃが嵌合されている。一方、横スライドガイド溝１０ｂには、後方縁部７ｂに取り付けられた後フレーム９ｂの端部９ｄが嵌合されている。
【００２９】
一対のリンクアーム１１は、その一端部がそれぞれ前フレーム９ａの一対の端部９ｃにおいて揺動自在に取り付けられ、その他端部がそれぞれ開閉カバー６の裏面部において揺動自在に取り付けられる。この一対のリンクアーム１１によって、開閉カバー６と前フレーム９ａとの連動が可能となっており、開閉カバー６が閉状態にあるときには、縦スライドガイド溝１０ａの上端部に前フレーム９ａが位置し、一方、開閉カバー６が開状態にあるときは、縦スライドガイド溝１０ａの下端部に前フレーム９ａが位置するように、フレーム９が移動されることになる。
【００３０】
一対の帯状体１２は、ポリエステル（ＰＥＴ）樹脂製で薄板状に形成され、その一端部が一対のコイルバネ１２ａに取り付けられ、その他端部が後フレーム９ｂの一対の端部９ｄに取り付けられる。一対のコイルバネ１２ａが装置本体１Ａに固設される。従って、コイルバネ１２ａの付勢力により、後フレーム９ｂが帯状体１２を介して後方側（図２に示す実線矢印の逆方向）に引き寄せられ、さらに、ドラムカバー７が常に伸張した状態に保持される。そして、開閉カバー６の開操作に伴って、ドラムカバー７が図２に示す実線矢印方向に移動すると、帯状体１２を介してコイルスプリング１２ａが伸びることで、ドラムカバー７の移動を許容しながら、ドラムカバー７の伸長状態を維持するように構成されている。
【００３１】
尚、一対のカバーガイド１３がドラムカバー７の下面に沿う状態で配置されており、ドラムカバー７は、開閉カバー６の開閉操作に伴って移動する際に、カバーガイド１３の円弧部１３ａに当接して移動経路を案内される。
【００３２】
図３に示すように、ドラムカバー７の上面には、開閉カバー６が開状態である時に、紙詰まり処理等を行う作業者が視認することができるように、シート部材２４が貼り付けられている。シート部材２４は、裏面に粘着テープ付の紙製のものであり、その表面には図４に示す画面が表示されている。
【００３３】
図４は、紙詰まりの表示例を示す図である。図４に示すように、ドラムカバー７の上面の略全面には、第１シート部材２４ａ、第２シート部材２４ｂ及び第３シート部材２４ｃが貼り付けられている。第１及び第２シート部材２４ａ、２４ｂには、紙詰まりが発生した搬送路５上の位置と格子の網掛けを施した紙詰まり用紙とを示した画面が表示され、第１シート部材２４ａではレジストローラ対３４（図１参照）近傍における紙詰まりを示し、第２シート部材２４ｂでは定着部４（図１参照）近傍における紙詰まりを示している。第３シート部材２４ｃには、レジストローラ対３４、または定着部４における紙詰まり処理後の搬送ユニットを元に戻す手順の画面が表示されている。尚、第１〜第３シート部材２４ａ、２４ｂ、２４ｃの画面を１枚の紙シート上に印刷して、その紙シートをドラムカバー７に貼り付けてもよい。また、第１及び第２シート部材２４ａ、２４ｂの画面には、紙詰まり用紙を取り除く方向等を表示してもよい。
【００３４】
前フレーム９ａには、第１〜第３シート部材２４ａ、２４ｂ、２４ｃに対応させて、第１〜第３発光ダイオード２６ａ、２６ｂ、２６ｃが取り付けられている。
【００３５】
第１発光ダイオード２６ａが点灯すると、第１シート部材２４ａの画面に表示されるレジストローラ対３４近傍位置で紙詰まりが発生していることを示すことになる。第１検知部材２２ａ（図１参照）が所定時間以上用紙Ｐを検知している状態になると、第１発光ダイオード２６ａは点灯する。同様に、第２発光ダイオード２６ｂが点灯すると、第２シート部材２４ｂの画面に表示される定着部４近傍位置で紙詰まりが発生していることを示すことになる。第２検知部材２２ｂ（図１参照）が所定時間以上用紙Ｐを検知している状態になると、第２発光ダイオード２６ｂは点灯する。
【００３６】
第３発光ダイオード２６ｃが点灯すると、レジストローラ対３４、または定着部４における紙詰まり処理が完了して、搬送ユニットを元に戻す処理を行うことを促している。第１及び第２検知部材２２ａ、２２ｂが所定時間以上用紙Ｐを検知している状態から用紙Ｐを検知していない状態に変わると、第３発光ダイオード２６ｃは点灯する。尚、第１〜第３発光ダイオード２６ａ、２６ｂ、２６ｃは、前フレーム９ａに設けたが、開閉カバー６を開けたときに視認しやすい位置に設けるのがよく、装置構成により、後フレーム９ｂに設けてもよい。
【００３７】
図５は、第１〜第３発光ダイオードのオンオフ（点灯と消灯）制御を可能にするスイッチ部材を示す側面図である。スイッチ部材１５は、板状のスイッチ片１５ａが縦スライドガイド部材１０ｃに固設され、接点１５ｂが前フレーム９ａの端部９ｃに設けられる。開閉カバー６が閉状態にあるときには、図５に示すように、接点１５ｂがスイッチ片１５ａに接触せず、第１〜第３発光ダイオード２６ａ、２６ｂ、２６ｃは、オンオフ制御されないで、オフ（消灯）状態である。一方、開閉カバー６が開操作されると、端部９ｃが縦スライドガイド溝１０ａに案内され、図５に示す矢印方向に移動して、開閉カバー６の開状態において、接点１５ｂがスイッチ片１５ａに接触して、第１〜第３発光ダイオード２６ａ、２６ｂ、２６ｃはオンオフ制御可能となる。
【００３８】
次に、カバー移動機構８によるドラムカバー７の移動動作について、図２、図３及び図６、図７に基づいて説明する。図６は、開閉カバー６の開状態におけるカバー移動機構８を示す平面図であり、図７は、開閉カバー６の開状態におけるカバー移動機構８を示す斜視図である。
【００３９】
開閉カバー６の開操作に伴って、図２の二点鎖線の矢印に示すように、開閉カバー６が移動すると、リンクアーム１１により、前フレーム９ａが開閉カバー６に連動して、端部９ｃが縦スライドガイド溝１０ａの上端部の位置から、その溝に沿って図２の実線矢印方向に案内され、前フレーム９ａが図２の実線矢印方向に移動する。また、前フレーム９ａの移動に伴い、ドラムカバー７を介して、端部９ｄが横スライドガイド溝１０ｂの右端部の位置から、その溝に沿って図２の実線矢印方向に案内され、後フレーム９ｂが図２の実線矢印方向に移動する。このとき、帯状体１２のコイルスプリング１２ａが引っ張られるので、ドラムカバー７は、伸張した状態で、カバーガイド１３に案内され、図２の実線矢印方向に移動する。そして、前フレーム９ａが縦スライドガイド溝１０ａの下端部の位置まで移動すると、ドラムカバー７は、図６、図７に示すように、感光体ドラム３に搬送路５（図１参照）側で対向して覆う保護状態に至る。また、前フレーム９ａが縦スライドガイド溝１０ａの下端部の位置まで移動すると、スイッチ部材１５（図５参照）の接点１５ｂがスイッチ片１５ａに接触し、前フレーム９ａに設けた第１〜第３発光ダイオード２６ａ、２６ｂ、２６ｃがオンオフ制御可能になる。
【００４０】
次に、開閉カバー６の閉操作に伴って、図６の二点鎖線の矢印に示すように、開閉カバー６が移動すると、リンクアーム１１により、前フレーム９ａが開閉カバー６に連動して、端部９ｃが縦スライドガイド溝１０ａの下端部の位置から、その溝に沿って図６の実線矢印方向に案内され、前フレーム９ａが図６の実線矢印方向に移動する。また、前フレーム９ａの移動に伴って、コイルスプリング１２ａの縮まろうとする力により、端部９ｄが横スライドガイド溝１０ｂに沿って図６の実線矢印方向に案内され、後フレーム９ｂが図６の実線矢印方向に移動する。このとき、ドラムカバー７は、伸張した状態でカバーガイド１３に案内され、感光体ドラム３の上方に移動して退避状態に至る。また、前フレーム９ａが縦スライドガイド溝１０ａの下端部の位置から移動すると、スイッチ部材１５（図５参照）の接点１５ｂがスイッチ片１５ａに非接触となり、前フレーム９ａに設けた第１〜第３発光ダイオード２６ａ、２６ｂ、２６ｃは、オンオフ制御不能となり、オフ状態になる。
【００４１】
次に、紙詰まり表示の制御について説明する。図８は、本発明の実施形態である画像形成装置における発光ダイオード等の表示手段の制御を示すブロック図である。
【００４２】
図８に示すように、制御手段２１は、ＲＡＭ及びＲＯＭに記憶されたプログラムに従って、第１〜第３発光ダイオード２６ａ、２６ｂ、２６ｃやその他の表示部を制御し、その入力側には、スイッチ部材１５と、第１及び第２検知部材２２ａ、２２ｂとが接続され、その出力側には、第１〜第３発光ダイオード２６ａ、２６ｂ、２６ｃと、液晶等の表示素子からなる表示パネル４１とが接続される。表示パネル４１は、画像形成装置１の前面に設けられる。
【００４３】
第１検知部材２２ａはレジストローラ対３４近傍の用紙Ｐの有無を検知して、用紙Ｐが検知されると、その検知期間、オン信号が制御手段２１に入力される。同様に、第２検知部材２２ｂは定着部５近傍の用紙Ｐの有無を検知して、用紙Ｐが検知されると、その検知期間、オン信号が制御手段２１に入力される。制御手段２１は、各検知部材２２ａ、２２ｂからのオン信号の時間を計測し、所定時間より長い時間オン信号が入力されていると、紙詰まりと判定して、表示パネル４１に開閉カバー領域での紙詰まり警告の表示を行うとともに、対応する第１または第２発光ダイオード２６ａ、２６ｂを点灯可能状態にする。
【００４４】
開閉カバー６が開操作されると、開閉カバー６に連動して、ドラムカバー７は、搬送路５側に移動して、感光体ドラム３を覆う保護状態に至るとともに、スイッチ部材１５がオンして、そのオン信号が制御手段２１に入力される。そのオン信号に基づいて、制御手段２１は、前述の点灯可能状態にある第１または第２発光ダイオード２６ａ、２６ｂを点灯制御すると、作業者は、点灯する発光ダイオードに対応するドラムカバー７上の第１または第２シート部材２４ａ、２４ｂの画面から紙詰まり位置を視認することができる。
【００４５】
作業者がレジストローラ対３４または定着部４の紙詰まり処理を行い、用紙Ｐが取り除かれると、第１または第２検知部材２２ａ、２２ｂからオフ信号が制御手段２１に入力される。制御手段２１は、そのオフ信号が入力されると、第１または第２発光ダイオード２６ａ、２６ｂを消灯（オフ）させると同時に、第３発光ダイオード２６ｃを点灯制御する。作業者が点灯する第３発光ダイオード２６ｃに対応する第３シート部材２４ｃの画面に従って、搬送ユニットを元に戻す処理を行い、次に開閉カバー６の閉操作を行うと、スイッチ部材１５がオフとなり、第３発光ダイオード２６ｃが消灯する。
【００４６】
また、レジストローラ対３４及び定着部４が設けられる開閉カバー領域以外の位置で紙詰まりが発生すると、例えば給紙領域で紙詰まりが発生する場合には、表示パネル４１に給紙領域での紙詰まり警告の表示が行われ、また、給紙領域内の給紙カッセトやピックアップローラ等紙詰まりが発生する可能性がある位置を示す表示手段が、紙詰まり処理の操作を行う給紙ユニットに設けられている。例えば、紙詰まりがピックアップローラで発生しているとすると、作業者は、表示パネル４１より給紙領域で紙詰まりがあることを確認して、給紙ユニットを開ける等の操作をすると、給紙ユニットに設けた表示手段がピックアップローラの位置を表示する。そこで、作業者が、その表示手段により紙詰まり処理を施す位置を視認して、紙詰まり処理を行うと、用紙が取り除かれる。
【００４７】
上記実施形態によれば、画像形成装置１は、装置本体１Ａの内部に通じ揺動自在な開閉カバー６の裏側に、用紙Ｐを搬送する搬送路５が設けられるとともに、この搬送路５に対して開閉カバー６の反対側に感光体ドラム３が設けられ、開閉カバー６の開操作に伴って、感光体ドラム３の搬送路５側に移動して感光体ドラム３を覆う保護状態となる一方、開閉カバー６の閉操作に伴って、感光体ドラム３の搬送路５側から退避する退避状態となるドラムカバー７が設けられる。さらに、搬送路５中の紙詰まりを検知する検知部材２２が設けられ、ドラムカバー７の保護状態で開閉カバー６の対向する側の面に紙詰まり位置を表示する表示手段２４、２６が設けられて、検知部材２２が紙詰まりを検知すると、表紙手段２４、２６が紙詰まり位置を表示する。
【００４８】
この構成によれば、開閉カバー６の開操作に伴って、ドラムカバー７が感光体ドラム３の搬送路５側に移動することによって、ドラムカバー７が感光体ドラム３の搬送路５側を覆い、紙詰まり処理等の作業者の手や装身具、工具等が感光体ドラム３に接触し傷つけるのを保護することができる。また、検知部材２２が搬送路５中の紙詰まりを検知すると、表示手段２４、２６が紙詰まり位置を表示する。この表示手段２４、２６がドラムカバー７の開閉カバー６側に設けられているために、開閉カバー６を開けて紙詰まり処理の作業を行う際に、開閉カバー６の開操作に連動して、ドラムカバー７が搬送路５側に移動するので、紙詰まり処理を行う姿勢で、作業者はドラムカバー７上の表示手段２４、２６から紙詰まり位置を視認することができ、紙詰まり処理の作業が煩雑になることがなく、紙詰まり処理の作業性を向上させることができる。
【００４９】
また、この構成によれば、表示手段２４がドラムカバー７に取り付けられるだけであるので、装置が大型化することがなく、簡単な装置構成になる。
【００５０】
また、上記実施形態によれば、検知部材２２ａ、２２ｂは搬送路５中の複数の搬送路位置に配設され、表示手段２４ａ、２４ｂ、２６ａ、２６ｂは、複数の搬送路位置を表示可能に設けられ、紙詰まりを検知した検知部材２２ａ、２２ｂに対応する搬送路位置を表示する。このことによって、紙詰まりが発生する可能性がある搬送路５の中から、紙詰まりが発生している搬送路位置が表示手段２４ａ、２４ｂ、２６ａ、２６ｂにより視認されるため、作業者が、紙詰まり処理を行う姿勢で、直ちに紙詰まり位置を確認することができるので、紙詰まり処理の作業性を向上させることができる。
【００５１】
また、上記実施形態によれば、表示手段２４、２６は、用紙の搬送路位置を表示するシート部材２４と、検知部材２２が検知する搬送路位置の紙詰まりの有無に応じて表示を切り換える表示切り換え部材２６とを備えることによって、装置が大型化することがなく、簡単な装置構成になる。
【００５２】
また、上記実施形態によれば、ドラムカバー７が可撓性を有する薄板部材で形成されるとともにこの薄板部材がフレーム９で保持されて、シート部材２４は薄板部材に貼り付けられ、表示切り換え部材２６はフレーム９に取り付けられる。このことによって、ドラムカバー７とフレーム９にシート部材２４や表示切り換え部材２６の表示手段を取り付けるだけであり、特別の部材を設けることがないので、装置が大型化することがなく、また紙詰まりしている用紙の搬送路位置を大きく解りやすく表示させることができる。
【００５３】
また、上記実施形態によれば、表示切り換え部材２６は、発光ダイオードの点灯の有無により表示を切り換えることによって、簡単な表示部材構成になり、また紙詰まり位置が発光ダイオードの点灯により知らさせるので、紙詰まり位置の視認性を向上させることができる。
【００５４】
また、上記実施形態によれば、表示手段２４、２６は、紙詰まり処理の手順を表示することにより、紙詰まり処理の手順に従って紙詰まり処理が行われるので、紙詰まり処理を正確に行うことができる。
【００５５】
尚、上記実施形態では、ドラムカバー７は可撓性を有する薄板材で形成され、第１〜第３シート部材２４ａ、２４ｂ、２４ｃがこの薄板材に貼り付けられる構成を示したが、本発明はこれに限らず、剛性を備えるプラスチックで形成されたドラムカバーに第１〜第３シート部材２４ａ、２４ｂ、２４ｃを貼り付けて、また第１〜第３発光ダイオード２６ａ、２６ｂ、２６ｃを取り付けても良い。
【００５６】
また、上記実施形態では、表示手段２４、２６は、画面を表示したシート部材と発光ダイオードとを備える構成を示したが、本発明はこれに限らず、表示手段は、可撓性を有するシート形状の液晶素子で構成されてもよい。
【産業上の利用可能性】
【００５７】
本発明は、複写機、プリンタ、ファクシミリ等の画像形成装置に利用することができる。
【図面の簡単な説明】
【００５８】
【図１】は、本発明の実施形態である画像形成装置の要部を示す平面図である。
【図２】は、本発明の実施形態である画像形成装置における開閉カバーの閉状態を示す平面図である。
【図３】は、本発明の実施形態である画像形成装置における開閉カバーの閉状態におけるドラムカバーを示す斜視図である。
【図４】は、本発明の実施形態である画像形成装置における表示手段の紙詰まりの表示例を示す図である。
【図５】は、本発明の実施形態である画像形成装置におけるスイッチ部材を示す側面図である。
【図６】は、本発明の実施形態である画像形成装置における開閉カバーの開状態を示す平面図である。
【図７】は、本発明の実施形態である画像形成装置における開閉カバーの開状態におけるドラムカバーを示す斜視図である。
【図８】は、本発明の実施形態である画像形成装置における表示手段の制御を示すブロック図である。
【符号の説明】
【００５９】
１Ａ    装置本体
３      感光体ドラム
５      搬送路
６      開閉カバー
７      ドラムカバー
７ａ    前方縁部
７ｂ    後方縁部
８      カバー移動機構
９      フレーム
９ａ    前フレーム（フレーム）
９ｂ    後フレーム（フレーム）
９ｃ、９ｄ  端部
１５    スイッチ部材
１５ａ  スイッチ片
１５ｂ  接点
２２ａ、２２ｂ  検知部材
２４、２４ａ、２４ｂ、２４ｃ  シート部材（表示手段）
２６、２６ａ、２６ｂ、２６ｃ  発光ダイオード（表示切り換え部材、表示手段）
Ｐ      用紙
【図１】
2009109735.tif 000003
【図２】
2009109735.tif 000004
【図３】
2009109735.tif 000005
【図４】
2009109735.tif 000006
【図５】
2009109735.tif 000007
【図６】
2009109735.tif 000008
【図７】
2009109735.tif 000009
【図８】
2009109735.tif 000010